(57)【要約】【課題】レンタル中の照明装置が別の顧客の要求条件を満たすかを早めに判断できる照明装置管理システムを提供する。【解決手段】複数の照明装置１１０と、サーバ３００とを備え、複数の照明装置１１０のそれぞれは、サーバ３００に対して照明装置１１０の使用状況を送信し、サーバ３００は、複数の照明装置のそれぞれから送信される当該照明装置の使用状況を取得し、かつ、ユーザの要求条件を取得する通信部３０１と、取得された使用状況に基づいて、取得された要求条件に適合する照明装置１１０を複数の照明装置１１０の中から選択し、選択した照明装置１１０を示す選択結果を出力する選択部３０３とを備える。【選択図】図２
2015230525.tif 000002
【特許請求の範囲】
【請求項１】
複数の照明装置と、
サーバとを備え、
前記複数の照明装置のそれぞれは、前記サーバに対して当該照明装置の使用状況を送信し、
前記サーバは、
前記複数の照明装置のそれぞれから送信される当該照明装置の使用状況を取得する第一取得部と、
ユーザの要求条件を取得する第二取得部と、
前記第一取得部によって取得された前記使用状況に基づいて、前記第二取得部によって取得された前記要求条件に適合する照明装置を前記複数の照明装置の中から選択し、選択した前記照明装置を示す選択結果を出力する選択部とを備える
照明装置管理システム。
【請求項２】
前記要求条件は、当該要求条件が取得された後の時点における照明装置の照明状態を指定する情報であり、
前記選択部は、前記第一取得部によって取得された前記使用状況から、前記時点における前記複数の照明装置の照明状態を予測し、予測した前記照明状態が前記要求条件によって指定される照明状態に適合する照明装置を前記複数の照明装置の中から選択する
請求項１に記載の照明装置管理システム。
【請求項３】
前記使用状況は、照明装置の累積点灯時間であり、
前記要求条件は、前記時点における照明装置の明るさを指定する情報であり、
前記選択部は、前記第一取得部によって取得された前記累積点灯時間から、前記時点における前記複数の照明装置の明るさを予測し、予測した前記明るさが前記要求条件により指定される明るさに適合する照明装置を前記複数の照明装置の中から選択する
請求項２に記載の照明装置管理システム。
【請求項４】
前記使用状況は、照明装置の累積点灯時間であり、
前記要求条件は、前記時点における照明装置の色温度を指定する情報であり、
前記選択部は、前記第一取得部によって取得された前記累積点灯時間から、前記時点における前記複数の照明装置の色温度を予測し、予測した前記色温度が前記要求条件により指定される色温度に適合する照明装置を前記複数の照明装置の中から選択する
請求項２に記載の照明装置管理システム。
【請求項５】
前記第二取得部は、さらに、照明装置の数を指定する数量情報を取得し、
前記選択部は、前記第一取得部によって取得された前記使用状況に基づいて、前記第二取得部によって取得された前記要求条件に適合する照明装置を、前記複数の照明装置の中から前記第二取得部によって取得された前記数量情報により指定される数以上選択する
請求項１〜４のいずれか１項に記載の照明装置管理システム。
【請求項６】
さらに、前記第一取得部によって取得された前記使用状況が、当該使用状況を送信した前記照明装置の貸与期間と対応づけられて記憶される記憶装置を備え、
前記選択部は、前記第一取得部によって取得された前記使用状況から、前記時点における前記複数の照明装置の照明状態を予測し、予測した前記照明状態が前記要求条件によって指定される照明状態に適合する照明装置であって、かつ、前記記憶装置に記憶された貸与期間が前記時点において満了している予定の照明装置を前記複数の照明装置の中から選択する
請求項２に記載の照明装置管理システム。
【請求項７】
さらに、情報通信端末を備え、
前記情報通信端末は、
前記ユーザの前記要求条件の入力を受け付ける入力受付部と、
前記入力受付部が受け付けた前記要求条件を前記第二取得部に送信し、前記選択部から前記選択結果を受信する通信部と、
前記通信部が受信した前記選択結果を表示する表示部とを備える
請求項１〜６のいずれか１項に記載の照明装置管理システム。
【請求項８】
複数の照明装置を管理するサーバと通信を行う情報通信端末であって、
前記サーバは、前記複数の照明装置のそれぞれから取得した当該照明装置の使用状況に基づいて前記複数の照明装置の中から要求条件に適合する照明装置を選択し、選択した前記照明装置を示す選択結果を出力し、
前記情報通信端末は、
ユーザの前記要求条件の入力を受け付ける入力受付部と、
前記入力受付部が受け付けた前記要求条件を前記サーバに送信し、前記サーバから前記選択結果を受信する通信部と、
前記通信部が受信した前記選択結果を表示する表示部とを備える
情報通信端末。
【請求項９】
前記要求条件に期間の情報が含まれている場合には、前記選択結果には、選択された前記照明装置が前記期間の終期において前記要求条件を満たすことを示す情報が含まれ、
前記表示部は、選択された前記照明装置が前記期間の終期において前記要求条件を満たすことを示す情報を含む前記選択結果を表示する
請求項８に記載の情報通信端末。
【請求項１０】
前記選択結果には、選択された前記照明装置の累積点灯時間または寿命のいずれかを示す情報が含まれ、
前記表示部は、選択された前記照明装置の累積点灯時間または寿命のいずれかを含む前記選択結果を表示する
請求項８に記載の情報通信端末。
【発明の詳細な説明】
【技術分野】
【０００１】
本発明は、複数の照明装置を管理する照明装置管理システム等に関する。
【背景技術】
【０００２】
ＬＥＤ（Ｌｉｇｈｔ  Ｅｍｉｔｔｉｎｇ  Ｄｉｏｄｅ）等の固体発光素子は、小型、高効率かつ長寿命であることから、様々な製品の光源として期待されている。その中でも、近年、ＬＥＤを用いた照明装置の研究開発が進められている。
【０００３】
一方で、照明用の蛍光管を貸与（レンタル）し、レンタル後の取り替えおよび廃棄処分などの管理を確実に行なうための維持管理システムが知られている（例えば、特許文献１参照）。
【先行技術文献】
【特許文献】
【０００４】
【特許文献１】特開２００３−３３１０５１号公報
【発明の概要】
【発明が解決しようとする課題】
【０００５】
照明装置のレンタル事業を想定した場合、稼働率の観点から、レンタル中の照明装置が別の顧客の要求条件を満たすか（契約満了後、別の顧客にレンタルできるものであるか）を早めに判断できるほうがよい。
【０００６】
本発明は、レンタル中の照明装置が別の顧客の要求条件を満たすかを早めに判断できる照明装置管理システムを提供する。
【課題を解決するための手段】
【０００７】
本発明の一態様に係る照明装置管理システムは、複数の照明装置と、サーバとを備え、前記複数の照明装置のそれぞれは、前記サーバに対して当該照明装置の使用状況を送信し、前記サーバは、前記複数の照明装置のそれぞれから送信される当該照明装置の使用状況を取得する第一取得部と、ユーザの要求条件を取得する第二取得部と、前記第一取得部によって取得された前記使用状況に基づいて、前記第二取得部によって取得された前記要求条件に適合する照明装置を前記複数の照明装置の中から選択し、選択した前記照明装置を示す選択結果を出力する選択部とを備える。
【０００８】
本発明の一態様に係る情報通信端末は、複数の照明装置を管理するサーバと通信を行う情報通信端末であって、前記サーバは、前記複数の照明装置のそれぞれから取得した当該照明装置の使用状況に基づいて前記複数の照明装置の中から要求条件に適合する照明装置を選択し、選択した前記照明装置を示す選択結果を出力し、前記情報通信端末は、ユーザの前記要求条件の入力を受け付ける入力受付部と、前記入力受付部が受け付けた前記要求条件を前記サーバに送信し、前記サーバから前記選択結果を受信する通信部と、前記通信部が受信した前記選択結果を表示する表示部とを備える。
【発明の効果】
【０００９】
本発明の一態様に係る照明装置管理システム等によれば、レンタル中の照明装置が別の顧客の要求条件を満たすかを早めに判断できる。
【図面の簡単な説明】
【００１０】
【図１】図１は、実施の形態１に係る照明装置管理システムの概略構成を示すブロック図である。
【図２】図２は、実施の形態１に係る照明装置管理システムの機能ブロック図である。
【図３】図３は、実施の形態１に係る記憶装置に記憶される情報の内容の一例を示す図である。
【図４】図４は、実施の形態１に係る照明器具の外観を示す斜視図である。
【図５】図５は、実施の形態１に係る照明器具の分解斜視図である。
【図６】図６は、実施の形態１に係る照明装置の構成概要を示すブロック図である。
【図７】図７は、実施の形態１に係る照明装置管理システムの動作のフローチャートである。
【図８】図８は、実施の形態１に係る情報通信端末の表示画面の一例を説明するための図である。
【図９】図９は、照明装置の回収処理のフローチャートである。
【図１０】図１０は、保守対象の照明装置を通知する動作のフローチャートである。
【図１１】図１１は、新品の照明装置のレンタル処理の一例を示すフローチャートである。
【図１２】図１２は、中古の照明装置のレンタル処理の一例を示すフローチャートである。
【発明を実施するための形態】
【００１１】
以下、実施の形態に係る照明装置管理システムおよび情報通信端末について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態１）
［照明装置管理システムの概要］
まず、実施の形態１に係る照明装置管理システムの概要について説明する。図１は、実施の形態１に係る照明装置管理システムの概略構成を示すブロック図である。
【００１４】
図１に示される照明装置管理システム１０は、複数の照明装置１１０と、情報通信端末３５０と、照明装置管理サーバ３００とを備える。
【００１５】
照明装置管理システム１０は、複数の照明装置１１０のレンタル事業を想定したシステムである。複数の照明装置１１０は、レンタル先の建物等に設置されている。
【００１６】
なお、照明装置管理システム１０は、実際には３以上の複数の照明装置１１０を備えるが、図２では簡略化のため３つの照明装置１１０のみが図示されている。なお、照明装置管理システム１０が備える複数の照明装置には、実際には仕様が異なるものが含まれるが、仕様が異なる照明装置も基本的な構成は照明装置１１０と同様の構成である。したがって、実施の形態１では説明の簡略化のために全て照明装置１１０として説明する。
【００１７】
情報通信端末３５０は、顧客への窓口となる代理店が使用する端末である。ここで、照明装置管理システム１０においては、顧客として、商業施設内の店舗、工場、およびオフィスなどを想定している。なお、図１では、情報通信端末３５０は１つだけ図示されているが、照明装置管理システム１０は、実際には複数の情報通信端末３５０を備え、代理店の各事業所（店舗）に設置される。
【００１８】
照明装置管理サーバ３００は、レンタル事業主（例えば、照明装置１１０の製造メーカ）が運用するサーバである。
【００１９】
また、照明装置管理システム１０においては、情報通信端末３５０、照明装置管理サーバ３００、並びに照明装置１１０は、インターネット４００を通じて互いに通信可能である。
【００２０】
以上のような照明装置管理システム１０においては、代理店の従業者は、顧客の要求条件を情報通信端末３５０に入力し、要求条件に適合する照明装置１１０の検索を行う。照明装置管理サーバ３００は、複数の照明装置１１０のそれぞれから当該照明装置の使用状況（使用度合い）を取得する。そして、照明装置管理サーバ３００は、取得した使用状況に基づいて複数の照明装置１１０の中から要求条件に適合する照明装置１１０を選択し、選択した照明装置１１０を示す選択結果を情報通信端末３５０に送信する。この結果、情報通信端末３５０には、選択結果として要求条件に適合する照明装置１１０のリストが表示される。
【００２１】
このように、照明装置管理サーバ３００は、複数の照明装置１１０のそれぞれから当該照明装置１１０の使用状況を直接取得する。これにより、代理店の従業者は、レンタル中の照明装置が別の顧客の要求条件を満たすかを早めに判断することができ、照明装置１１０の稼働率を高めることができる。
【００２２】
［各装置の構成］
次に、照明装置管理システム１０における各装置の構成について説明する。図２は、照明装置管理システム１０の機能ブロック図である。
【００２３】
図２に示される照明装置管理システム１０は、より詳細には、複数の照明装置１１０と、情報通信端末３５０と、照明装置管理サーバ３００とに加えて、記憶装置２５０を備える。
【００２４】
まず、照明装置管理サーバ３００について説明する。
【００２５】
照明装置管理サーバ３００は、通信部３０１（第一取得部および第二取得部）と、選択部３０３とを備える。
【００２６】
通信部３０１は、複数の照明装置１１０のそれぞれから送信される当該照明装置１１０の使用状況を取得する。つまり、通信部３０１は、第一取得部として機能する。
【００２７】
通信部３０１が取得する照明装置１１０の使用状況は、例えば、累積点灯時間（照明装置１１０の発光部１２０が点灯した時間の累計である）である。なお、使用状況には、使用状況に応じて変化する照明装置１１０のパラメータ（明るさまたは色温度など）が含まれる。
【００２８】
また、通信部３０１は、顧客（ユーザ）の要求条件を取得する。つまり、通信部３０１は、第二取得部として機能する。
【００２９】
通信部３０１が取得する顧客の要求条件には、例えば、照明装置１１０の型番（品番）、色温度、ワット数（消費電力）、器具形態、使用予定の期間、累積点灯時間、明るさ、契約期間、支払総額（レンタル価格×契約期間）、納期、および寿命（残りの保証点灯時間）などが含まれる。
【００３０】
通信部３０１は、例えば、インターネット４００を通じて照明装置１１０および情報通信端末３５０と通信するための通信モジュールである。なお、通信部３０１は、第一取得部として機能する通信モジュールと、第二取得部として機能する通信モジュールとの２つの通信モジュールによって構成されてもよい。
【００３１】
選択部３０３は、通信部３０１によって取得された使用状況に基づいて、通信部３０１によって取得された要求条件に適合する照明装置１１０を複数の照明装置１１０の中から選択し、選択した照明装置１１０を示す選択結果を出力する。
【００３２】
選択部３０３は、より具体的には、複数の照明装置１１０から定期的に送信される使用状況を通信部３０１を通じて受信し、受信した使用状況を記憶装置２５０に記憶（更新）する。また、このとき、使用状況とともに照明装置１１０のＩＤ（照明装置１１０を識別するための識別情報）が受信される。
【００３３】
一方で、記憶装置２５０内の使用状況は、当該使用状況を送信した照明装置１１０のＩＤに対応づけられている。したがって、選択部３０３は、通信部３０１によって使用状況が受信された場合、当該使用状況とともに受信されたＩＤに対応づけられた、記憶装置２５０内の通信状況を更新する。
【００３４】
そして、選択部３０３は、通信部３０１が要求条件を取得した場合に、記憶装置２５０を参照して要求条件に適合する照明装置１１０のＩＤを選択し、選択したＩＤを含む情報である選択結果を、通信部３０１を通じて情報通信端末３５０に出力（送信）する。選択部３０３は、具体的には、マイクロコンピュータ、プロセッサ、または専用回路などによって実現される。
【００３５】
次に、情報通信端末３５０について説明する。
【００３６】
情報通信端末３５０は、入力受付部３５１と、通信部３５２と、表示部３５３と、制御部３５４とを備える。
【００３７】
情報通信端末３５０は、パーソナルコンピュータ、スマートフォン、およびタブレット端末などの通信機能を有する情報通信端末である。
【００３８】
入力受付部３５１は、顧客（ユーザ）の要求条件の入力を受け付ける入力インターフェースである。入力受付部３５１は、具体的には、マウス、キーボード、およびタッチパネルなどである。
【００３９】
通信部３５２は、入力受付部３５１が受け付けた要求条件を照明装置管理サーバ３００の通信部３０１に送信する。また、通信部３５２は、照明装置管理サーバ３００の通信部３０１から選択結果を受信する。
【００４０】
表示部３５３は、通信部３５２が受信した選択結果を表示する。表示部３５３は、例えば、液晶パネル、および有機ＥＬ（Ｅｌｅｃｔｒｏ  Ｌｕｍｉｎｅｓｃｅｎｃｅ）パネルなどの表示パネルである。
【００４１】
制御部３５４は、通信部３５２による情報の送受信や、表示部３５３による画像の表示を制御する。制御部３５４は、具体的には、マイクロコンピュータ、プロセッサ、または専用回路などによって実現される。
【００４２】
次に、記憶装置２５０について説明する。
【００４３】
記憶装置２５０は、通信部３０１が受信した使用状況が少なくとも照明装置１１０のＩＤと対応づけられて記憶される記憶装置（データベース）である。
【００４４】
記憶装置２５０においては、照明装置１１０の使用状況（実施の形態１では累積点灯時間）は、上記照明装置１１０のＩＤなど、照明装置１１０の静的な情報と動的な情報とに対応づけられている。図３は、記憶装置２５０に記憶される情報の内容の一例を示す図である。
【００４５】
静的な情報とは、例えば、図３に示される、照明装置１１０のＩＤ、照明装置１１０の型番、初期色温度、および初期明るさなど、照明装置１１０に固有の情報であって、更新されることのない情報である。なお、静的な情報としては、他には、製造工場や、製造ロット、定格消費電力（ワット数）、および寸法などが例示される。
【００４６】
一方、動的な情報とは、例えば、図３に示される貸与期間（レンタル期間）、設置場所、および価格など、照明装置１１０がレンタルされること等によって事後的に更新される情報である。
【００４７】
また、記憶装置２５０内には、光束減退率曲線を示す情報が記憶されている。光束減退率曲線は、言い換えれば、光束（明るさ）と、累積点灯時間との関係を示す曲線であり、累積点灯時間から現在の明るさを算出するために用いられる。なお、記憶装置２５０には、これらの他に色温度と、累積点灯時間との関係を示す曲線の情報などが記憶されてもよい。
【００４８】
記憶装置２５０は、ＨＤＤ（Ｈａｒｄ  Ｄｉｓｃ  Ｄｒｉｖｅ）や、半導体メモリなどにより実現される。なお、記憶装置２５０は、照明装置管理サーバ３００に内蔵されてもよい。つまり、照明装置管理サーバ３００が記憶装置２５０を備えてもよい。
【００４９】
次に、照明装置１１０（照明装置１１０を備える照明器具）について説明する。図４は、実施の形態１に係る照明器具の外観を示す斜視図である。図５は、実施の形態１に係る照明器具の分解斜視図である。なお、以下の説明は、照明装置１１０の基本的な構成についてのものであり、上述のように複数の照明装置１１０の中には、仕様が異なるものが含まれる。
【００５０】
図４および図５に示されるように、実施の形態１に係る照明器具１００は、照明装置１１０と、器具本体２００とを備える。
【００５１】
器具本体２００は、照明器具１００のベースとなる部材であり、例えばボルトおよびナット等により天井に固定される。器具本体２００は、照明装置１１０が埋設される凹部２１０を有する。照明装置１１０は、例えば、照明装置１１０が有する金具（図示せず）が、凹部２１０の内面に形成された孔と係合することで、器具本体２００に着脱可能に取り付けられる。
【００５２】
なお、照明装置１１０を器具本体２００に着脱可能に取り付けられるのであれば、当該取り付けの手法として各種の手法を採用し得る。例えば、ネジ等の締結部材によって照明装置１１０が器具本体２００に取り付けられてもよい。
【００５３】
また、器具本体２００から延設された電線の端部にコネクタ２７０が設けられており、照明装置１１０から延設された電線の端部にコネクタ１７０が設けられている。これらコネクタ２７０とコネクタ１７０とが嵌め合わされることで、器具本体２００から照明装置１１０に、照明装置１１０の発光に必要な電力が供給される。
【００５４】
なお、照明装置１１０の点灯、消灯および調光等の操作が壁に設置された操作パネルから行われる場合は、操作パネルと照明装置１１０との間の信号のやり取りのための制御線が照明装置１１０に接続される。
【００５５】
照明装置１１０は、照明光を放出する発光部１２０と、発光部１２０を覆うカバー部材１８０とを有する。
【００５６】
発光部１２０は、光源（発光素子）としてＬＥＤ素子が用いられた発光モジュールである。なお、発光部１２０は、互いに発光色（色温度）が異なる複数の種類の光源を有することにより調色制御（発光色の制御）が可能であってもよいし、調光制御（明るさの制御）が可能であってもよい。
【００５７】
カバー部材１８０は、発光部１２０から発せられた光を透過させる部材である。カバー部材１８０は、例えば、透明なガラスまたは樹脂で形成される。また、実施の形態１では、カバー部材１８０は、発光部１２０から発せられた光を拡散する機能を有している。例えば、シリカまたは炭酸カルシウムなどの光拡散材（微粒子）を含有する樹脂または白色顔料を、カバー部材１８０の内面または外面に付着させることで、乳白色の光拡散膜がカバー部材１８０に形成される。
【００５８】
また、カバー部材１８０そのものが、光拡散材が分散された樹脂材料等を用いて成形されてもよい。
【００５９】
なお、カバー部材１８０が光を拡散する機能を有することは必須ではなく、カバー部材１８０は、カバー部材１８０の外部から内部を視認可能な程度に透明であってもよい。
【００６０】
次に、実施の形態１に係る照明装置１１０の基本的な構成について、図６を用いて説明する。図６は、実施の形態１に係る照明装置１１０の構成概要を示すブロック図である。
【００６１】
図６に示されるように、照明装置１１０は、受付部１４０と、発光部１２０と、通信部１２５と、記憶部１３０と、制御部１３５と、計測部１５５とを備える。
【００６２】
受付部１４０は、照明装置１１０の外部から送信される所定の指示を受け付ける。具体的には、各種の指示に対応する各種の信号が外部の装置から有線または無線で送信され、受付部１４０によって受信される。受付部１４０は、例えば、少なくとも信号の受信が可能な受信機によって実現される。
【００６３】
受付部１４０に各種の信号を送信する装置としては、照明装置１１０の電源のオンおよびオフ（点灯および消灯）を行うための電源スイッチ、赤外線によって信号を送信するリモコン（Ｒｅｍｏｔｅ  Ｃｏｎｔｒｏｌ）、および、携帯電話またはタブレット端末等の携帯端末が例示される。
【００６４】
また、電源スイッチ、調光または調色のためのスイッチ等を備える操作パネルであって、照明器具１００が設置された部屋の壁に取り付けられる操作パネルも受付部１４０に各種の信号を送信する装置として例示される。
【００６５】
通信部１２５は、例えば、インターネット４００を通じて照明装置管理サーバ３００と通信するための通信モジュールである。通信部１２５は、具体的には、照明装置管理サーバ３００に対して照明装置１１０の累積点灯時間（使用状況）を送信する。送信される累積点灯時間は、計測部１５５によって計測され、記憶部１３０に記憶されたものである。
【００６６】
累積点灯時間は、例えば、所定の周期で定期的に送信されるが、照明装置１１０がＯＮ（消灯→点灯）された場合に送信されてもよいし、照明装置管理サーバ３００からの要求に応じて送信されるなど、どのようなタイミングで送信されてもよい。
【００６７】
なお、通信部１２５と、照明装置管理サーバ３００との間には、実際には、モデムや、ルータ、中継サーバなどの通信装置が存在する。
【００６８】
記憶部１３０は、計測部１５５が計測した累積点灯時間が記憶される、不揮発性の記憶装置である。記憶部１３０には、照明装置１１０のＩＤなど、照明装置１１０に固有の情報も記憶される。記憶部１３０としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。なお、記憶部１３０は、制御部１３５内に設けられてもよい。
【００６９】
制御部１３５は、発光部１２０の点灯または消灯を制御する。また、制御部１３５は、記憶部１３０に記憶された累積点灯時間を読み出し、読み出した累積点灯時間を通信部１２５に送信させる。なお、制御部１３５は、発光部１２０が調光および調色に対応する場合には、調光制御および調色制御を行う。制御部１３５は、例えば、入力された信号に応じて発光部１２０に供給する電流値等を制御するマイクロコンピュータ、プロセッサ、または専用回路によって実現される。
【００７０】
計測部１５５は、発光部１２０の累積点灯時間を計測する。計測部１５５は、例えば、照明装置１１０が備える電源部（図示せず）に組み込まれたマイコンによって実現されるが、制御部１３５の一機能として実現されてもよい。実施の形態１では、計測部１５５が計測する累積点灯時間は、記憶部１３０に記憶される。なお、計測部１５５は、発光部１２０の明るさまたは色温度を計測してもよい。この場合、計測部１５５には、明るさまたは色温度を計測するセンサが含まれる。
【００７１】
［照明装置管理システムの動作］
以上説明したような構成の照明装置管理システム１０の動作について説明する。図７は、照明装置管理システム１０の動作のフローチャートである。
【００７２】
上述のように、複数の照明装置１１０のそれぞれが備える通信部１２５は、定期的に累積点灯時間を送信し（Ｓ１１）、照明装置管理サーバ３００の通信部３０１は、複数の通信部１２５から送信された累積点灯時間を取得（受信）する（Ｓ１２）。通信部１２５によって取得された累積点灯時間は、選択部３０３によって記憶装置２５０に記憶される。
【００７３】
ここで、情報通信端末３５０の通信部３５２から要求条件が送信された場合、通信部３０１は、当該要求条件を取得（受信）する（Ｓ１３）。選択部３０３は、記憶装置２５０を参照して通信部３０１が取得した要求条件に適合する照明装置１１０を複数の照明装置１１０の中から選択する（Ｓ１４）。
【００７４】
そして、選択部３０３は、選択した照明装置１１０を示す選択結果を出力する（Ｓ１５）。出力された選択結果は、通信部３０１によって情報通信端末３５０の通信部３５２に送信される。
【００７５】
選択結果は、情報通信端末３５０の表示部３５３に表示され、顧客にレンタルされる照明装置１１０が決定した場合は、照明装置１１０のレンタル契約が締結され、レンタルされる照明装置１１０の手配が行われる。
【００７６】
次に、このような照明装置管理システム１０の動作において、情報通信端末３５０の表示部３５３に表示される表示画面について説明する。図８は、情報通信端末３５０の表示画面の一例を説明するための図である。
【００７７】
図８の（ａ）は、情報通信端末３５０（入力受付部３５１）に要求条件が入力されるときの表示画面（入力画面）の一例を示す図である。このとき、表示部３５３には、色温度、明るさ、使用予定期間、および台数（数量）などの値の入力画面が表示される。入力画面においては、上記色温度などの値が直接指定されてもよいし、プルダウン方式で値が選択可能な構成であってもよい。また、入力画面においては、上記色温度などの値の範囲（上限および下限の少なくとも一方）が指定されてもよい。
【００７８】
図８（ｂ）は、検索結果（選択部３０３の選択結果）の表示画面の一例を示す図である。図８の（ｂ）に示されるように、要求条件の入力が完了した後、表示部３５３には、選択部３０３の選択結果として、要求条件に適合する照明装置１１０の一覧が表示される。
【００７９】
なお、表示部３５３の表示画面は、このような態様に限定されるものではない。例えば、要求条件が入力されるときの表示画面（図８の（ａ））には、上述した記憶装置２５０に記憶された情報（動的な情報および静的な情報）の入力を受け付ける表示がされてもよい。
【００８０】
また、検索結果が表示される表示画面には、後述する予測された明るさおよび色温度が表示されてもよい。さらに、検索結果が表示される表示画面には、選択された照明装置１１０の使用状況が表示されてもよい。言い換えれば、選択結果には、選択された照明装置１１０の累積点灯時間または寿命のいずれかを示す情報が含まれ、表示部３５３は、選択された照明装置１１０の累積点灯時間または寿命のいずれかを含む選択結果を表示してもよい。この場合の累積点灯時間は、検索時点の累積点灯時間であってもよいし、使用予定期間の開始時点において予測される累積点灯時間であってもよい。
【００８１】
なお、要求条件に期間の情報（例えば、使用予定期間）が含まれている場合には、選択結果には、選択された照明装置が期間の終期において要求条件を満たすことを示す情報が含まれてもよい。この場合、表示部３５３は、選択された照明装置１１０が期間の終期において要求条件を満たすことを示す情報を含む選択結果を表示する。
【００８２】
［累積点灯時間に基づく明るさの予測］
例えば、顧客が複数の照明装置１１０をレンタルし、レンタルした複数の照明装置１１０を用いて１つの空間を均一に照明する場合には、複数の照明装置１１０の明るさが所定の範囲内に収まっていることが望ましい。しかしながら、レンタル対象の照明装置１１０は、それぞれ使用状況が異なるため、現在よりも先の時点における明るさは一定ではない。
【００８３】
一方で、照明装置１１０のレンタル事業においては、早期に次のレンタル先を見つけることにより稼働率を上げる必要がある。
【００８４】
そこで、選択部３０３は、通信部３０１（第一取得部）によって取得された使用状況から、現在よりも後の時点（以下、対象時点とも記載する）における複数の照明装置１１０の照明状態（例えば、明るさまたは色温度など）を予測する。そして、予測した照明状態が要求条件によって指定される照明状態に適合する照明装置１１０を複数の照明装置１１０の中から選択する。
【００８５】
実施の形態１では、通信部３０１によって取得される使用状況は、照明装置１１０の累積点灯時間である。一方、要求条件は、対象時点における照明装置１１０の明るさを指定する情報である。選択部３０３は、通信部３０１（第一取得部）によって取得された累積点灯時間から、対象時点における複数の照明装置１１０の明るさを予測する。
【００８６】
選択部３０３は、具体的には、まず、レンタル開始から現在までの照明装置１１０の使用時間（点灯時間）から、現在から対象時点までの使用時間を予測（例えば、線形予測）する。次に、通信部３０１によって取得された累積点灯時間に、予測した使用時間を加えたとした場合の照明装置１１０の明るさを、記憶装置２５０に記憶された光束減退率曲線を示す情報を参照することにより予測する。そして、選択部３０３は、予測した明るさが要求条件により指定される明るさに適合する照明装置１１０を複数の照明装置１１０の中から選択する。なお、予測した明るさは、照明装置１１０のＩＤに対応づけられて記憶装置２５０に記憶されてもよい。
【００８７】
このように、現在よりも後の時点における明るさを予測することにより、レンタル中の照明装置１１０が別の顧客の要求条件を満たすかを早めに判断することができる。
【００８８】
なお、実施の形態１のように照明装置管理システムがレンタル事業に用いられる場合、つまり、選択部３０３が選択する照明装置１１０は、記憶装置２５０に記憶された貸与期間（レンタル期間）が対象時点において満了している予定である必要がある。
【００８９】
なお、色温度と、累積点灯時間との関係を示す曲線の情報が記憶装置２５０に記憶されている場合、明るさと同様の方法により、累積点灯時間から照明装置１１０の色温度が予測されてもよい。この場合、要求条件は、対象時点における照明装置１１０の色温度を指定する情報である。選択部３０３は、通信部３０１（第一取得部）によって取得された累積点灯時間から、対象時点における複数の照明装置１１０の色温度を予測する。そして、選択部３０３は、予測した色温度が要求条件により指定される色温度に適合する照明装置１１０を複数の照明装置１１０の中から選択する。
【００９０】
このように、現在よりも後の時点における色温度を予測することにより、レンタル中の照明装置１１０が別の顧客の要求条件を満たすかを早めに判断することができる。
【００９１】
また、上述のように、照明装置１１０のレンタル数（照明装置１１０の数）が顧客により指定される場合がある。このような場合、通信部３０１（第二取得部）は、さらに、照明装置１１０の数を指定する数量情報を取得する。数量情報は、情報通信端末３５０（入力受付部３５１）を通じて入力される。
【００９２】
そして、選択部３０３は、通信部３０１（第一取得部）によって取得された使用状況に基づいて、通信部３０１（第二取得部）によって取得された要求条件に適合する照明装置１１０を選択する。具体的には、選択部３０３は、要求条件に適合する照明装置１１０を、複数の照明装置１１０の中から通信部３０１（第二取得部）によって取得された数量情報により指定される数以上選択する。
【００９３】
これにより、照明装置管理サーバ３００は、要求条件に適合する照明装置１１０を、指定された数量以上そろえて提示することができる。
【００９４】
［選択部による選択のバリエーション］
選択部３０３による照明装置１１０の選択方法には、上記使用状況を用いないものも含めて、様々なバリエーションがある。
【００９５】
例えば、選択部３０３は、顧客に早く納入できる照明装置１１０を優先的に選択してもよい。具体的には、選択部３０３は、顧客に早く納入できる照明装置１１０から順に並べ替えられた選択結果を出力してもよい。この場合、選択部３０３は、レンタル中の照明装置１１０の設置場所と、顧客の照明装置１１０の設置予定場所（設置予定場所は、例えば、情報通信端末３５０から入力される）との距離に応じて移設期間を予測する。そして、選択部３０３は、予測した移設期間を考慮して納期を算出し、納期が短い照明装置１１０から順に並べ替えた選択結果を出力してもよい。なお、情報通信端末３５０に照明装置１１０の台数が入力される場合は、顧客に早く納入できる照明装置１１０が優先的に選択されてもよい。
【００９６】
また、選択部３０３は、在庫（遊休）となっている照明装置１１０を優先的に選択してもよい。例えば、情報通信端末３５０に照明装置１１０の台数が入力される場合は、在庫の中から要求条件に適合する照明装置１１０を必要台数確保できなかった場合に、レンタル中の照明装置１１０の中から要求条件に適合する照明装置１１０を選択してもよい。
【００９７】
なお、要求条件に適合する照明装置１１０を必要台数確保できない場合には、選択部３０３は、照明装置１１０の製造メーカに要求条件に適合する照明装置１１０を発注してもよい。具体的には、選択部３０３は、通信部３０１を通じて照明装置１１０の製造メーカのサーバに発注指令を送信してもよい。これにより、発注に応じて受けとった照明装置１１０をレンタル用に使用することができる。
【００９８】
また、例えば、選択部３０３は、顧客が現在利用している照明装置１１０（レンタル中の照明装置１１０）の代替品を選択してもよい。この場合、情報通信端末３５０には、要求条件として顧客が現在利用している照明装置１１０の型番などが入力される。選択部３０３は、照明装置１１０の代替品の品番が予め記憶装置２５０に記憶されている場合は、入力された型番の代替品の型番を有する照明装置１１０を選択する。また、代替品の品番が記憶されていない場合は、入力された色温度や明るさが近い照明装置１１０を選択する。具体的には、例えば、選択部３０３は、照明装置１１０の各パラメータ（色温度、明るさなど）ごとに、入力された値との差分が小さいほど値が大きくなるスコアを算出し、パラメータごとに算出されたスコアの合計が所定値よりも大きいものを代替品として選択する。
【００９９】
また、選択部３０３は、要求条件を満たす照明装置１１０が必要台数以上存在する場合、必要台数分の照明装置１１０からなる照明装置１１０の組合せをさらに決定してもよい。このとき、照明装置１１０の組合せは、例えば、レンタル費用が最も少なくなるように決定されてもよいし、消費電力（電気料金）が最も少なくなるように決定されてもよい。
【０１００】
このときの組合せの決定方法は、情報通信端末３５０を通じて指定されてもよい。また、顧客の現在のレンタル費用や、顧客の現在の消費電力（電力料金）が情報通信端末３５０を通じて入力される場合が想定される。このような場合、選択部３０３は、選択部３０３によって選択された照明装置１１０の組合せをレンタルすると、現在レンタル中の照明装置の組み合わせに対してどのように費用が変わるか（例えば、○○円ＵＰなど）を選択結果に含めてもよい。つまり、どのように費用が変わるかが表示部３５３に表示されてもよい。
【０１０１】
また、選択部３０３は、照明装置１１０を設置する場所の空間の大きさ（部屋の広さ）、または、照明装置１１０の用途（事務所での使用、販売店での使用、または飲食店での使用など）に応じて照明装置１１０の組合せを自動的に選択してもよい。この場合、情報通信端末３５０には、要求条件として空間の大きさまたは用途が入力される。空間の大きさは、例えば、表示部３５３に表示された簡易的な間取り図上に寸法が入力されることで指定可能である。
【０１０２】
この場合、記憶装置２５０には、空間の大きさに応じて必要な明るさの情報や、用途ごとに適切な明るさ（望ましい色温度）の情報が予め記憶されている。選択部３０３は、記憶装置２５０を参照することにより、照明装置１１０を設置する場所の空間の大きさ、または、照明装置１１０の用途に応じて照明装置１１０の組合せを選択することができる。
【０１０３】
なお、上記のように表示部３５３に間取り図が表示される場合、表示された間取りの一部と、その他の部分とが異なる明るさになるように指定することも可能である。
【０１０４】
［補足１．照明装置の回収および保守］
レンタル期間が満了した照明装置１１０の回収について説明する。図９は、照明装置１１０の回収処理のフローチャートである。なお、以下の説明では、レンタルされていないがレンタル可能な照明装置１１０は、記憶装置２５０内において在庫リストに追加され、レンタル中の照明装置１１０は、レンタルリストに追加されるものとする。
【０１０５】
まず、照明装置管理サーバ３００は、レンタル期間が満了した照明装置１１０の情報（例えば、ＩＤなど）を取得し（Ｓ３１）、情報を取得した照明装置１１０を在庫リストに追加する（Ｓ３２）。
【０１０６】
レンタル期間が満了した照明装置１１０は、レンタル業者によって回収されることが想定される。この場合、レンタル業者は、回収した照明装置１１０の点検を行い（Ｓ３３）、異常の有無を確認する（Ｓ３４）。異常の有無は、例えば、累積点灯時間が所定時間を経過していないか、色温度が不足していないか、または、明るさが不足していないかなどに基づいて判断される。このうち、照明装置１１０の色温度および明るさの不足については、回収時に照明装置１１０の点灯試験（測定器による色温度および明るさの測定）を行うことで確認できる。
【０１０７】
点灯試験において照明装置１１０の色温度および明るさの不足が発見された場合、つまり、照明装置１１０が異常ありと判断された場合（Ｓ３４でＹｅｓ）、当該照明装置１１０は、在庫リストから削除される（Ｓ３６）。
【０１０８】
照明装置１１０が点灯試験において異常なしと判断された場合（Ｓ３４でＮｏ）、当該照明装置１１０がレンタルされた場合は、レンタルリストに追加される（Ｓ３５）。なお、当該照明装置１１０がレンタルされない場合は、在庫リストに追加されたままとなる。
【０１０９】
なお、照明装置１１０の異常の有無は、レンタル中に照明装置１１０の通信部１２５から送信される使用状況によって事前に判断されてもよい。また、異常ありと判断された照明装置１１０は、保守対象の照明装置１１０として取り扱われ、照明装置管理サーバ３００は、その旨を情報通信端末３５０に通知してもよい。図１０は、保守対象の照明装置１１０を通知する動作のフローチャートである。
【０１１０】
照明装置管理サーバ３００（通信部３０１）は、照明装置１１０（通信部１２５）から使用状況を取得する（Ｓ２１）。そして、当該照明装置１１０が異常ありと判断される場合には、照明装置管理サーバ３００は、当該照明装置１１０が保守対象である旨を情報通信端末３５０に通知する（Ｓ２２）。具体的には、照明装置管理サーバ３００は、保守対象であると判断した照明装置１１０のＩＤ、設置場所、および保守の内容を情報通信端末３５０に通知する。
【０１１１】
例えば、照明装置１１０から取得した累積点灯時間が既定の時間（寿命）を経過している場合、照明装置管理サーバ３００は、当該照明装置１１０を異常ありと判断する。また、色温度または明るさの情報を照明装置１１０から取得可能な場合は、照明装置１１０の色温度または明るさが初期値から大きく変化している場合に、当該照明装置１１０を異常ありと判断する。
【０１１２】
これにより、異常ありと判断される照明装置１１０に対して、レンタルの予約が入ってしまう危険性を下げることができる。
【０１１３】
なお、照明装置１１０が保守対象となる場合としては、他には、次の場合が例示される。
【０１１４】
・通電しているにもかかわらず明るさが不足している場合
・製造工場、製造年月日、またはロット番号が回収対象のものである場合
・前回の保守（メンテナンス）後から所定の期間（例えば、３ヶ月または６ヶ月）を経過している場合
【０１１５】
［補足２．新品のレンタルと中古品のレンタル］
照明装置管理サーバ３００においては、新品の照明装置１１０と、中古の照明装置１１０とが別々に管理されてもよい。図１１は、新品の照明装置１１０のレンタル処理の一例を示すフローチャートである。図１２は、中古の照明装置１１０のレンタル処理の一例を示すフローチャートである。
【０１１６】
まず、新品の照明装置１１０のレンタル処理について説明する。
【０１１７】
図１１に示されるように、新品の照明装置１１０は、製造された後、顧客にレンタルされ（Ｓ４１）、レンタル期間が満了した後（Ｓ４２）、回収され、かつ、点検される（Ｓ４３）。点検において異常ありと判断された（Ｓ４４でＹｅｓ）照明装置１１０は、破棄される（Ｓ４６）。点検において異常ありと判断されなかった（Ｓ４４でＮｏ）照明装置１１０は、さらに中古の照明装置１１０リストに追加される（Ｓ４５）。つまり、点検において異常ありと判断されなかった照明装置１１０は、中古の照明装置１１０としてレンタルされる。
【０１１８】
なお、図１１のフローチャートの対象となる新品の照明装置１１０には、購入前の照明装置１１０および在庫の照明装置１１０の両方が含まれる。
【０１１９】
なお、新品の照明装置１１０がレンタル中である場合であって、レンタル開始から所定の期間が経過している場合には、照明装置管理サーバ３００は、別の照明装置のレンタル契約を提示してもよい。ここで、別の照明装置とは、レンタル中の照明装置１１０と同等のスペックの照明装置、または、レンタル中の照明装置１１０の上位機種となる新たな照明装置である。照明装置管理サーバ３００は、具体的には、別の照明装置を情報通信端末３５０の表示部３５３に表示させるための情報を送信し、または、別の照明装置の見積もり提案書または新規レンタル契約書を印刷するための情報を送信する。また、このような場合、照明装置管理サーバ３００は、営業担当者の情報通信端末３５０に対して顧客への訪問指示を行ってもよい。
【０１２０】
次に、中古の照明装置１１０のレンタル処理について説明する。
【０１２１】
図１２に示されるように照明装置管理サーバ３００（通信部３０１）は、顧客の要求条件を取得する（Ｓ５１）。顧客の要求条件に適合する照明装置１１０がある場合（Ｓ５２でＹｅｓ）、適合する照明装置１１０を顧客にレンタルする（Ｓ５３）。そして、レンタル期間の満了後、回収の処理（図９のフローチャートの処理）が行われる（Ｓ５４）。
【０１２２】
一方、顧客の要求条件に適合する照明装置１１０がない場合（Ｓ５２でＮｏ）、顧客に対して要求条件の変更を依頼する（Ｓ５５）。具体的には、照明装置管理サーバ３００（通信部３０１）は、情報通信端末３５０の表示部３５３に要求条件の変更を促すメッセージを表示するための情報を情報通信端末３５０（通信部）に送信する。
【０１２３】
なお、図１２のフローチャートの対象となる中古の照明装置１１０には、レンタル中の照明装置１１０および在庫の中古の照明装置１１０が含まれる。
【０１２４】
新品の照明装置１１０と中古の照明装置１１０とは、上記実施の形態１のように１つの照明装置管理システム１０によって管理される。しかしながら、新品の照明装置１１０と中古の照明装置１１０とは、新品の照明装置１１０のみを管理する照明装置管理システム、および、中古の照明装置１１０のみを管理する照明装置管理システムの２つの照明装置管理システムによって個別に管理されてもよい。このように、２つの照明装置管理システムが用いられる場合には、照明装置１１０は、新品から中古に状態が変わった時点で、新品用の照明装置管理システムに移管される。
【０１２５】
（他の実施の形態）
以上、実施の形態１に係る照明装置管理システム１０および情報通信端末３５０について説明したが、本発明は、実施の形態１に限定されるものではない。
【０１２６】
上記実施の形態１では、照明装置１１０が送信する使用状況は、累積点灯時間であるが、送信時における明るさまたは送信時における色温度を示す情報であってもよい。また、使用状況は、照明装置１１０の使用頻度を示す情報、または、明るさや色温度が異常であることを示す情報であってもよい。
【０１２７】
上記実施の形態１では、照明装置管理システム１０は、レンタル事業に用いられるとして説明されたが、照明装置１１０の販売事業など、レンタル事業以外の事業に用いられてもよい。
【０１２８】
また、上記実施の形態１で説明した発光部１２０が有する発光素子（光源）は、ＬＥＤ素子に限定されない。発光部１２０は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【０１２９】
なお、上記実施の形態１においては、照明装置管理サーバ３００は複数の照明装置１１０に対して使用状況を直接取得する例を示した。しかしながら、複数の照明装置１１０を管理する別の管理装置が設けられ、この管理装置と照明装置管理サーバ３００とが通信することによって照明装置管理サーバ３００が各照明装置１１０の使用状況を取得しても構わない。この場合、店舗や工場、オフィスなどに管理装置が設けられることで、店舗や工場、オフィス内でも照明装置の個別管理を行いながら、照明装置管理サーバにより複数の店舗や工場などの照明装置の管理を行うことができる。
【０１３０】
なお、上記実施の形態１において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３１】
また、上記実施の形態１において、特定の処理部が実行する処理を別の処理部が実行してもよい。また、複数の処理の順序が変更されてもよいし、複数の処理が並行して実行されてもよい。例えば、計測部１５５は、制御部１３５の一機能として実現されてもよい。
【０１３２】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。例えば、本発明は、照明装置、照明装置の管理方法、およびビジネスモデル（照明装置のレンタル方法など）として実現されてもよい。
【０１３３】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【０１３４】
１０  照明装置管理システム
１１０  照明装置
２５０  記憶装置
３００  照明装置管理サーバ（サーバ）
３０１  通信部（第一取得部および第二取得部）
３０３  選択部
３５０  情報通信端末
３５１  入力受付部
３５３  表示部
４００  インターネット
【図１】
2015230525.tif 000003
【図２】
2015230525.tif 000004
【図３】
2015230525.tif 000005
【図４】
2015230525.tif 000006
【図５】
2015230525.tif 000007
【図６】
2015230525.tif 000008
【図７】
2015230525.tif 000009
【図８】
2015230525.tif 000010
【図９】
2015230525.tif 000011
【図１０】
2015230525.tif 000012
【図１１】
2015230525.tif 000013
【図１２】
2015230525.tif 000014